(57)【要約】【課題】ブレーキホールドが解除されるときに、運転者にブレーキ操作を行わせるようにする。【解決手段】ブレーキホールドの開始から一定時間経過すると、ブレーキホールドが解除される。このとき、ブレーキ操作がない場合、ホイールシリンダ液圧を増減させて、制動力を変動させる。制動力が小さくなると、車両が動き出すが、制動力が大きくなると、車両は停止する。これを繰り返することにより、車両の振動を誘発させる。車両が振動して、運転者にブレーキ操作を促す。【選択図】図３
2019064346.tif 000002
【特許請求の範囲】
【請求項１】
車両が停止した際に自動的に制動力を保持するブレーキホールド制御を行うブレーキ制御装置であって、ブレーキホールドが解除されることを知らせる警告部が設けられ、警告部は、ブレーキホールドの開始から一定時間経過してもブレーキ操作がないとき、ホイールシリンダ液圧を変動させて、車両の振動を誘発させることを特徴とするブレーキ制御装置。
【請求項２】
勾配のあるところで停車しているとき、警告部は、増減するホイールシリンダ液圧の減圧度合を勾配に応じて変化させることを特徴とする請求項１記載のブレーキ制御装置。
【発明の詳細な説明】
【技術分野】
【０００１】
本発明は、車両が停止した際に自動的に制動力を保持するブレーキホールド制御を行うブレーキ制御装置に関する。
【背景技術】
【０００２】
車両の走行中、ブレーキ操作によって車両が停止したとき、ブレーキホールド制御を行う車両では、そのまま制動力が保持される。ブレーキペダルの操作が解除されても、車両は停止したままである。ブレーキペダルの操作によってマスタシリンダから発生したブレーキ液圧に応じて各車輪のホイールシリンダのホイールシリンダ液圧が高くなり、制動力が発生する。ブレーキホールド制御を行うブレーキ制御装置がマスタシリンダとホイールシリンダとの間に設けられたバルブを閉じることにより、ホイールシリンダ液圧が保持されて、制動力が保持される。
【０００３】
ブレーキホールドの開始から一定時間経過しても、ブレーキペダルが操作されないと、ブレーキホールドが解除される。エンジンが作動していると、クリーピングにより車両が動き出すことがある。ここで、特許文献１に記載のように、車両に電動パーキングブレーキが装着されていると、ブレーキホールドの開始から一定時間経過すると、自動的に電動パーキングブレーキが作動して、車両の停止状態が維持される。
【先行技術文献】
【特許文献】
【０００４】
【特許文献１】特開２０１０−１４３５４２号公報
【発明の概要】
【発明が解決しようとする課題】
【０００５】
ところで、電動パーキングブレーキを装着すると、コストアップするため、電動パーキングブレーキを非装着にすることがある。この場合、一定時間経過してブレーキホールドを解除するとき、ブレーキ操作を要求する必要がある。そのため、音声や表示によって、運転者にブレーキ操作を促す報知が行われる。しかし、運転者がこの報知に気づかないおそれがあり、ブレーキホールドの解除によって車両が動き出し、安全上問題がある。
【０００６】
本発明は、上記に鑑み、ブレーキホールドが解除されるときに、運転者にブレーキ操作を行わせることができるようにしたブレーキ制御装置の提供を目的とする。
【課題を解決するための手段】
【０００７】
本発明のブレーキ制御装置は、車両が停止した際に自動的に制動力を保持するブレーキホールド制御を行う。ブレーキホールドが解除されることを知らせる警告部が設けられ、警告部は、ブレーキホールドの開始から一定時間経過してもブレーキ操作がないとき、ホイールシリンダ液圧を変動させて、車両の振動を誘発させる。
【０００８】
ホイールシリンダ液圧が変動すると、制動力が変動する。制動力が小さくなると、車両が動き出すが、すぐに制動力が大きくなり、車両は停止する。これが繰り返されることにより、車両が振動して、運転者はブレーキ操作を促される。
【０００９】
勾配のあるところで停車しているとき、警告部は、増減するホイールシリンダ液圧の減圧度合を勾配に応じて変化させる。勾配が大きくなるほど減圧度合を小さくする。減圧度合が小さくなると、制動力の低下が少なくなり、勾配が大きくても車両の動きを抑えることができ、車両の振動が大きくなり過ぎない。
【発明の効果】
【００１０】
本発明によると、ブレーキホールドが解除されるときに、車両が振動するので、体感的にブレーキ操作を促すことができる。したがって、運転者がこの警告に気付かないといったことがなくなり、確実にブレーキ操作させることができ、安全性を確保できる。
【図面の簡単な説明】
【００１１】
【図１】本発明の実施形態のブレーキシステムの構成図
【図２】ブレーキ制御装置のブロック図
【図３】一定間隔で増減するホイールシリンダ液圧の変動を示す図
【図４】勾配がある場合のホイールシリンダ液圧の変動を示す図
【図５】勾配がある場合のホイールシリンダ液圧の他の変動を示す図
【発明を実施するための形態】
【００１２】
本発明の実施形態の車両の油圧ブレーキを作動させるブレーキシステムを図１に示す。ブレーキシステムは、ブレーキペダル１への踏力を増幅するブレーキブースタ２、ブレーキペダル１の操作に応じたブレーキ液圧を発生するマスタシリンダ３、ブレーキ液圧によってホイールシリンダ液圧を発生させてブレーキを作動させるホイールシリンダ４、マスタシリンダ３からのブレーキ液を各ホイールシリンダ４に供給する液圧制御用アクチュエータ５を備える。アクチュエータ５は、ホイールシリンダ４への管路を開閉するノーマルオープンの開閉バルブを有する。そして、ブレーキシステムは、ブレーキホールド制御を行うブレーキ制御装置（ブレーキＥＣＵ）を備えている。電動パーキングブレーキは装着されていない。
【００１３】
図２に示すように、ブレーキホールド開始用のブレーキホールドスイッチ１０が設けられ、ブレーキホールドスイッチ１０がオンされているとき、ブレーキ制御装置はブレーキホールド制御を行う。ブレーキ制御装置には、車速を検出する車速センサ１１、マスタシリンダ３のブレーキ液圧を検出する圧力センサ１２、路面の勾配を検出する傾斜センサ１３、ブレーキペダル１の操作を検知するブレーキスイッチ１４、アクセルペダルの操作を検知するアクセルスイッチ１５がそれぞれ接続される。そして、ブレーキ制御装置７は、ホイールシリンダ液圧を保持するために開閉バルブおよびホイールシリンダ液圧を増加させるポンプを駆動する加圧モータを制御する。
【００１４】
ブレーキホールドスイッチ１０がオンされているとき、ブレーキ制御装置は、ブレーキの作動により車両が停止、すなわち車速が０になったことを検知すると、ブレーキホールドの作動条件が満たされたと判断し、開閉バルブを閉にする。開閉バルブが閉じると、ホイールシリンダ液圧が所定圧に保持され、ブレーキホールドが行われる。これにより、ブレーキペダル１から足を離しても、制動力が保持され、車両は停止している。
【００１５】
ブレーキホールドの作動中、アクセルペダルが踏み込まれて、アクセルスイッチ１５がオンになると、ブレーキ制御装置は、ブレーキホールドを解除する。開閉バルブが開となり、ホイールシリンダ液圧が減圧されて、制動力が低下し、車両は発進する。また、所定の継続時間が経過すると、ブレーキ制御装置は、ブレーキホールドを解除する。
【００１６】
ブレーキ制御装置は、継続時間が経過してブレーキホールドが解除されることを知らせる警告部２０と、ブレーキ操作を促すための報知を行う報知部２１と、ブレーキシステム全体の制御を行う制御部２２とを備えている。報知部２１は、ブザー、音声、表示などによって報知を行う。警告部２０は、アクチュエータ５を作動させて、所定圧に保持されているホイールシリンダ液圧を変動させる。
【００１７】
ブレーキホールドが開始されると、制御部２２は、アクセル操作の有無を監視する。アクセルペダルが踏まれると、アクセルスイッチ１５がオンし、制御部２２は、ブレーキホールドを解除する。ブレーキホールドの開始から継続時間が経過したとき、制御部２２は、報知部２１を動作させる。報知部２１は、ブレーキ操作を促す報知を行う。同時に制御部２２は、ブレーキ操作を監視する。ブレーキペダル１が踏まれると、制御部２０は、ブレーキスイッチ１４のオンに応じてブレーキホールドを解除する。
【００１８】
図３に示すように、継続時間になってもブレーキ操作がされていないとき、制御部２２は、報知部２１を動作させるとともに、警告部２０も動作させて、警告を行う。アクチュエータ５が作動して、ホイールシリンダ液圧を変動させる。ホイールシリンダ液圧が一定間隔で増圧と減圧を繰り返し、制動力も変動する。減圧時、ホイールシリンダ液圧は０となり、増圧時、ホイールシリンダ液圧は所定圧になる。
【００１９】
エンジンがアイドリング状態で動作しているとき、クリープトルクによる駆動力が生じる。この駆動力が制動力より大きいと、車両は動き出す。駆動力が制動力より小さいと、車両は動かない。ホイールシリンダ液圧の増減により、制動力が変化し、車両に振動が誘発される。これによって、運転者は、体感的な警告を受けることになり、ブレーキ操作を促される。その結果、運転者がブレーキペダルを踏むと、制御部はブレーキホールド制御を終了する。
【００２０】
このように、継続時間が経過してもブレーキ操作がされないとき、車両を振動させてブレーキ操作を促すことにより、振動に気付いた運転者はブレーキを踏む。したがって、電動パーキングブレーキが装着されていなくても、ブレーキホールドが解除されたときに車両が動き出すことを阻止でき、安価に安全性を確保できる。
【００２１】
ここで、車両が勾配のあるところで停止したとき、重力の作用により下がる方向に駆動力が発生する。ホイールシリンダ液圧を増減させると、車両の振動が大きくなり、搭乗者に不快感を与える。そこで、勾配のあるところで停車しているとき、警告部２０は、増減するホイールシリンダ液圧の減圧度合を勾配に応じて変化させる。
【００２２】
図４に示すように、増圧時間に比べて減圧時間を短くすることにより、減圧度合が小さくされる。警告部２０は、勾配量に応じて減圧時間を決める。減圧時のホイールシリンダ液圧は０となる。勾配が大きいほど減圧時間を短くして、勾配に応じて減圧度合を変化させる。
【００２３】
また、図５に示すように、増圧時間と減圧時間は同じであるが、減圧量を少なくする。減圧時のホイールシリンダ液圧は、所定圧よりも規定値だけ低い液圧とされる。規定値は勾配量に応じて変わる。勾配が大きいほど規定値を小さくすることにより、勾配に応じて減圧度合が変化する。
【００２４】
クリープトルクによる駆動力に重力による駆動力が加わるが、減圧時間を短くする、あるいは減圧量を少なくすることにより、制動力の低下が小さくなり、車両の振動は大きくならない。これにより、車両の動きを一定に保ったまま、ブレーキ操作を促すことができる。
【００２５】
なお、本発明は、上記実施形態に限定されるものではなく、本発明の範囲内で上記実施形態に多くの修正および変更を加え得ることは勿論である。警告を開始してから時間が経過するにつれて減圧時間を徐々に長くしていく。減圧時間が長くなるほど車両が大きく動くので、警告の効果が高まる。
【符号の説明】
【００２６】
１    ブレーキペダル
３    マスタシリンダ
４    ホイールシリンダ
５    アクチュエータ
７    ブレーキ制御装置
１４    ブレーキスイッチ
１５    アクセルスイッチ
２０    警告部
２１    報知部
２２    制御部
【図１】
2019064346.tif 000003
【図２】
2019064346.tif 000004
【図３】
2019064346.tif 000005
【図４】
2019064346.tif 000006
【図５】
2019064346.tif 000007